(57)【要約】【課題】半導体装置の小型化を図る。【解決手段】半導体装置１は、一端部がケース４０の外側に配置され、他端部がケース４０の内側の絶縁板２１のおもて面の上方であって、半導体素子１０ａの近傍に配置されてケース４０に形成されるリードフレーム５３ｂを有している。さらに、半導体装置１は、リードフレーム５３ｂの他端部の積層基板２０に対向する側に配置され、半導体素子１０ａの側部近傍に配置される感温素子６０を有している。これにより、半導体装置１では、感温素子６０を半導体素子１０ａの側部近傍に配置することができるため、半導体素子１０ａの温度を適切に検出することができる。さらに、半導体装置１は、ケース４０の縦方向の長さを短くでき、小型化を図ることができる。【選択図】図３
2018056437.tif 000002
【特許請求の範囲】
【請求項１】
半導体素子と、
絶縁板と、前記絶縁板のおもて面に設けられ、前記半導体素子が配置される回路板と、を備える積層基板と、
前記半導体素子が内側に配置されるように前記積層基板と接合されるケースと、
一端部が前記ケースの外側に配置され、他端部が前記ケースの内側の前記絶縁板の前記おもて面の上方であって、前記半導体素子の近傍に配置されて前記ケースに形成される外部接続端子と、
前記外部接続端子の前記他端部に配置され、前記半導体素子の側部近傍に配置される感温素子と、
を有する半導体装置。
【請求項２】
前記外部接続端子は板状のリードフレームで、
前記感温素子は、前記外部接続端子の前記他端部の一方の面に配置され、
前記絶縁板の前記おもて面と前記外部接続端子の前記他端部の前記一方の面は対向している、
請求項１に記載の半導体装置。
【請求項３】
前記感温素子は、直方体状である、
請求項２に記載の半導体装置。
【請求項４】
前記半導体素子の主電極に電気的に接続されたワイヤをさらに有し、
前記外部接続端子の長手方向の前記半導体素子に隣接する端部は、前記ワイヤの接続箇所の中心から所定距離以上離れて配置される、
請求項１に記載の半導体装置。
【請求項５】
前記ケースは枠状で開口部を備え、
前記開口部の中間部には前記開口部の内側に突出する凸部と、を備え、
前記凸部は、前記開口部の内側に前記絶縁板の前記おもて面に平行な側面と、前記絶縁板の前記おもて面に垂直な底部を有し、
前記外部接続端子の前記他端部の他方の面は、前記側面の一方の面と同一平面に配置される、
請求項１に記載の半導体装置。
【請求項６】
前記積層基板は、前記ケースの前記凸部の前記側面の他方の面に接合される、
請求項１に記載の半導体装置。
【請求項７】
第１半導体素子及び第２半導体素子と、
絶縁板と、前記絶縁板のおもて面に設けられ、前記第１半導体素子及び前記第２半導体素子が配置される回路板と、を備える積層基板と、
前記第１半導体素子及び前記第２半導体素子が内側に配置されるように前記積層基板に接合されるケースと、
一端部が前記ケースの外側に配置され、他端部が前記ケースの内側の前記絶縁板のおもて面の上方であって、前記第１半導体素子と前記第２半導体素子との間に配置されて前記ケースに形成される外部接続端子と、
前記外部接続端子の前記他端部の一方の面上に配置され、前記第１半導体素子と前記第２半導体素子との間に位置する感温素子と、を備え、
前記絶縁板の前記おもて面と前記外部接続端子の前記他端部の前記一方の面は対向している、半導体装置。
【請求項８】
前記外部接続端子は板状のリードフレームで、
前記感温素子は、直方体状である、
請求項７に記載の半導体装置。
【発明の詳細な説明】
【技術分野】
【０００１】
本発明は、半導体装置に関する。
【背景技術】
【０００２】
半導体装置は、パワー半導体素子と、回路パターン及び絶縁板が積層された積層基板とを有している。半導体装置では、回路パターン上にパワー半導体素子と共に、サーミスタ等の感温素子が配置されて、感温素子は外部接続端子に電気的に接続されている。感温素子は、パワー半導体素子の温度を検知して、動作に伴って発熱するパワー半導体素子の温度の監視を行う。
【先行技術文献】
【特許文献】
【０００３】
【特許文献１】特開２００６−０９３２５５号公報
【発明の概要】
【発明が解決しようとする課題】
【０００４】
しかし、このような半導体装置では、積層基板上に感温素子を配置するための回路パターンの領域、感温素子と接続するための外部接続端子の領域がそれぞれ必要となり、半導体装置の製造コストが嵩んでしまう。
【０００５】
本発明は、このような点に鑑みてなされたものであり、小型化が実現される半導体装置を提供することを目的とする。
【課題を解決するための手段】
【０００６】
本発明の一観点によれば、半導体素子と、絶縁板と、前記絶縁板のおもて面に設けられ、前記半導体素子が配置される回路板と、を備える積層基板と、前記半導体素子が内側に配置されるように前記積層基板と接合されるケースと、一端部が前記ケースの外側に配置され、他端部が前記ケースの内側の前記絶縁板の前記おもて面の上方であって、前記半導体素子の近傍に配置されて前記ケースに形成される外部接続端子と、前記外部接続端子の前記他端部に配置され、前記半導体素子の側部近傍に配置される感温素子と、を有する半導体装置が提供される。
【０００７】
また、本発明の一観点によれば、第１半導体素子及び第２半導体素子と、絶縁板と、前記絶縁板のおもて面に設けられ、前記第１半導体素子及び前記第２半導体素子が配置される回路板と、を備える積層基板と、前記第１半導体素子及び前記第２半導体素子が内側に配置されるように前記積層基板に接合されるケースと、一端部が前記ケースの外側に配置され、他端部が前記ケースの内側の前記絶縁板のおもて面の上方であって、前記第１半導体素子と前記第２半導体素子との間に配置されて前記ケースに形成される外部接続端子と、前記外部接続端子の前記他端部の一方の面上に配置され、前記第１半導体素子と前記第２半導体素子との間に位置する感温素子と、を備え、前記絶縁板の前記おもて面と前記外部接続端子の前記他端部の前記一方の面は対向している、半導体装置が提供される。
【発明の効果】
【０００８】
開示の技術によれば、半導体装置の小型化を図ることができる。
【図面の簡単な説明】
【０００９】
【図１】第１の実施の形態の半導体装置の上面図である。
【図２】第１の実施の形態の半導体装置の断面図（その１）である。
【図３】第１の実施の形態の半導体装置の断面図（その２）である。
【図４】第１の実施の形態の半導体装置の拡大図である。
【図５】第１の実施の形態の半導体装置の製造プロセスを示す図（その１）である。
【図６】第１の実施の形態の半導体装置の製造プロセスを示す図（その２）である。
【図７】第１の実施の形態の半導体装置の製造プロセスを示す図（その３）である。
【図８】参考例の半導体装置の上面図である。
【図９】第２の実施の形態の半導体装置の上面図である。
【図１０】第２の実施の形態の半導体装置の断面図である。
【図１１】第３の実施の形態の半導体装置の上面図である。
【図１２】第３の実施の形態の半導体装置の断面図である。
【発明を実施するための形態】
【００１０】
以下、図面を参照して、実施の形態について説明する。
［第１の実施の形態］
半導体装置について図１〜図４を用いて説明する。
【００１１】
図１は、第１の実施の形態の半導体装置の上面図であり、図２及び図３は、第１の実施の形態の半導体装置の断面図であり、図４は、第１の実施の形態の半導体装置の拡大図である。
【００１２】
なお、図２は、図１の一点鎖線Ｘ−Ｘにおける断面図を、図３は、図１の一点鎖線Ｙ−Ｙにおける断面図を、図４は、図１の一点鎖線Ｚ部の拡大図をそれぞれ表している。また、図３は、ワイヤの図示を省略している。
【００１３】
半導体装置１は、半導体素子１０ａ，１０ｂと、積層基板２０と、感温素子６０と、半導体素子１０ａ，１０ｂが配置される積層基板２０が接合され、リードフレーム５１，５２，５３ａ，５３ｂ，５４〜５６が一体成形されるケース４０と、を有している。さらに、半導体装置１は、ケース４０内のこれらの構成を封止する封止樹脂８０を有している。リードフレームは外部接続端子を示す。
【００１４】
半導体素子１０ａ，１０ｂは、例えば、ＩＧＢＴ（Insulated Gate Bipolar Transistor）、ＭＯＳＦＥＴ（Metal Oxide Semiconductor Field Effect Transistor）、ＦＷＤ（Free Wheeling Diode）等である。
【００１５】
積層基板２０は、絶縁板２１と、絶縁板２１のおもて面に設けられ、半導体素子１０ａ，１０ｂが配置される回路板２２と、絶縁板２１の裏面に設けられた金属板２３とを有している。このような積層基板２０の厚さは、０．５ｍｍ以上、２．５ｍｍ以下である。
【００１６】
絶縁板２１は、電気的に絶縁性を有する材料により構成されている。このような材料として、例えば、酸化アルミニウム、窒化ケイ素等が挙げられる。
回路板２２は、導電性に優れた銅等の金属により構成されており、複数の回路パターン２２ａ，２２ｂ，２２ｃを有している。第１の実施の形態では、図１に示されるように、半導体素子１０ａは、回路パターン２２ａの配置領域２２ａ１に導電性接合材１１ａを介して配置されている。半導体素子１０ｂは、回路パターン２２ａの配置領域２２ａ２に導電性接合材１１ｂを介して配置されている。
【００１７】
第１の実施の形態では、導電性接合材１１ａ，１１ｂをはんだとする。なお、導電性接合材１１ａ，１１ｂは銀ペースト等の導電性接着剤としてもよい。
金属板２３は、絶縁板２１の裏面全面に配置されており、熱伝導率が高いアルミニウム、鉄、銀、銅、または、これらを含む合金等により構成されている。このような金属板２３の厚さは、０．５ｍｍ以上、２ｍｍ以下であって、例えば、１．５ｍｍ程度である。
【００１８】
ケース４０は、上面視で、枠状を成し、対向する一対の辺にリードフレーム５１，５２，５３ａ，５３ｂと、リードフレーム５４，５５，５６と、がそれぞれ一体成形されている。
【００１９】
なお、積層基板２０は、金属板２３の下面と接合される金属板２３より厚さが厚い放熱板をさらに含んでもよい（図示を省略）。また、積層基板２０は、金属板２３の代わりに金属板２３より厚さが厚い放熱板を用いてもよい。放熱板は、板状でもよく、放熱用のフィンを備えてもよい。
【００２０】
また、ケース４０は図１に示すおもて面（上面）から裏面に向かう深さ方向に開口が設けられた枠状で、開口の内側の中間部に突出する凸部４０ａが形成されている。図１に示すおもて面は、絶縁板２１のおもて面と平行な面である。
【００２１】
おもて面（上面）に平行な凸部４０ａの側面において、おもて面側の側面には、おもて面側の側面に垂直な枠部４０ｂを備える。また、裏面側の側面には、裏面側の側面に垂直な枠部４０ｃを備える。ケース４０は、凸部４０ａの裏面側の側面と裏面側の側面に垂直な枠部４０ｃとに接着剤３０により積層基板２０が接合されている。
【００２２】
このようなケース４０は、例えば、ポリフェニレンサルファイド樹脂（ＰＰＳ樹脂）、ポリブチレンテレフタレート樹脂（ＰＢＴ樹脂）、ポリアミド樹脂（ＰＡ樹脂）またはアクリロニトリルブタジエンスチレン樹脂（ＡＢＳ樹脂）等の樹脂で構成されている。
【００２３】
なお、ケース４０と放熱板を有する積層基板２０を接合する場合は、接着剤による接合ではなく、ケース４０に貫通孔を設けて、積層基板２０の放熱板にネジ止めしてもよい（図示を省略）。
【００２４】
また、ケース４０に接合された、半導体素子１０ａ，１０ｂが配置された積層基板２０では、半導体素子１０ａ，１０ｂのそれぞれのおもて面の主電極とリードフレーム５１，５２，５３ａ，５３ｂ，５４〜５６は適宜、ワイヤ７１〜７７により電気的に接続される。例えば、ワイヤ７１は、半導体素子１０ｂのおもて面の主電極と、リードフレーム５１とを電気的に接続している。ワイヤ７２は、半導体素子１０ａのおもて面の主電極と、リードフレーム５２とを電気的に接続している。ワイヤ７３は、半導体素子１０ａの主電極と、積層基板２０の回路板２２を構成する回路パターン２２ｂとを電気的に接続している。ワイヤ７４は、積層基板２０の回路板２２を構成する回路パターン２２ｂとリードフレーム５６とを電気的に接続している。ワイヤ７５は、積層基板２０の回路板２２を構成する回路パターン２２ｃとリードフレーム５５とを電気的に接続している。ワイヤ７６は、積層基板２０の回路板２２を構成する回路パターン２２ａとリードフレーム５４とを電気的に接続している。ワイヤ７７は、半導体素子１０ｂの主電極と、積層基板２０の回路板２２を構成する回路パターン２２ｃとを電気的に接続している。
【００２５】
ケース４０に一体成形されたリードフレーム５３ａは、一直線の板状を成しており、同様に一体成形されたリードフレーム５３ｂは、長辺の長さが異なる２つの長方形が直角を成すＬ字型の板状を成している。リードフレーム５３ａの一端部がケース４０の外側に配置され、他端部がケース４０の内側の積層基板２０の上方であって、半導体素子１０ａの近傍に配置されている。リードフレーム５３ｂの一直線を成す側の端部がケース４０の外側に配置され、直角を有する側の端部（先端部）がケース４０の内側の積層基板２０の上方であって、半導体素子１０ａの近傍に配置されている。
【００２６】
リードフレーム５１，５２，５３ａ，５３ｂ，５４〜５６のおもて面側の面は、ケース４０の凸部４０ａのおもて面側の側面と同一平面となるように配置されている。また、ケース４０内においてリードフレーム５１，５２，５３ａ，５３ｂ，５４〜５６の固定のため、ケース４０の凸部４０ａのおもて面側の側面から隣り合うリードフレームのおもて面上にまたがるようにケース４０と同じ樹脂で突起（図示を省略）を適宜、備えてもよい。
【００２７】
なお、これらのリードフレーム５１，５２，５３ａ，５３ｂ，５４〜５６は、導電性に優れた銅等の金属等により構成されており、それらの厚さは、０．３ｍｍ以上、０．８ｍｍ以下であって、例えば、０．５ｍｍ程度である。また、リードフレーム５３ａ，５３ｂの幅は、例えば、１ｍｍ程度である。
【００２８】
感温素子６０は、温度によって抵抗値が変化する抵抗特性を有し、ケース４０の内部（半導体素子１０ａ，１０ｂ）の温度を検出するサーミスタ等である。感温素子６０は、例えば、長さが１ｍｍ程度、幅が０．５ｍｍ程度、厚さが０．５ｍｍ程度の直方体状を成す。感温素子６０は、図１に示されるように上面視で、半導体素子１０ａの側部近傍に設置されている。また、感温素子６０は、図３に示す断面視で、半導体素子１０ａと略同じ高さに位置するように配置されている。感温素子６０は、リードフレーム５３ａの積層基板２０の回路板２２と対向する面の先端部と、リードフレーム５３ｂの積層基板２０の回路板２２と対向する面で、且つリードフレーム５３ａの積層基板２０の回路板２２と対向する面の先端部と隣り合う端部とにそれぞれ導電性接着剤１２ａ，１２ｂを介して接合されている。よって、感温素子６０は、図１に示すリードフレーム５３ａ，５３ｂのおもて面上ではなく、リードフレーム５３ａ，５３ｂの裏面上に導電性接合材１２ａ，１２ｂを介して接合されている。
【００２９】
第１の実施の形態では、導電性接合材１２ａ，１２ｂを銀ペーストとする。なお、導電性接合材１２ａ，１２ｂははんだ、または銀ペースト以外の導電性接着剤を用いてもよい。
【００３０】
リードフレーム５３ａ，５３ｂは、図４の拡大図に示すように、半導体素子１０ａの側部６３と対向するリードフレーム５３ａの長手方向の端部６１、及びリードフレーム５３ｂの先端部６２が、ワイヤ７２，７３等をボンディングするボンディングツール（図示を省略）により干渉されない程度に半導体素子１０ａの主電極のワイヤボンディング位置から離れている。例えば、リードフレーム５３ａの長手方向の端部６１、及びリードフレーム５３ｂの先端部６２から半導体素子１０ａに対するワイヤ７２，７３のワイヤボンディング位置までの距離Ｌは、少なくとも３ｍｍ以上は離しておく必要がある。ここで、ワイヤボンディング位置とは、ワイヤ７２，７３が半導体素子１０ａの主電極と接合したワイヤ接合部７２ａ，７３ａの幅方向Ｗの中心位置である。なお、この距離Ｌは、ワイヤボンディングを行う箇所すべてに必要である。
【００３１】
第１の実施の形態では、ワイヤを用いずにリードフレーム５３ａ，５３ｂと感温素子６０との間を接続することで、後述するようにケース４０の凸部４０ａのおもて面側の側面に垂直な枠部４０ｂ、リードフレーム５３ａ，５３ｂ、及び半導体素子１０ａの側部６３のそれぞれの間において、ワイヤのボンディングツールの干渉を防ぐためのスペースが不要となる。これにより、半導体装置１の小型化が可能となる。
【００３２】
さらに、半導体素子１０ａが配置されている回路板２２が設けられている絶縁板２１のおもて面と、リードフレーム５３ａ，５３ｂの感温素子６０が搭載されている面が対向するように配置される。よって、ワイヤのボンディングツールの干渉を防ぐためのスペースが不要となるため、半導体素子１０ａと感温素子６０との間の距離を近くすることが可能となる。これにより、感温素子６０の温度検出精度を向上することができる。
【００３３】
次に、このような半導体装置１の製造プロセスについて、図１〜図４並びに図５〜図７を用いて説明する。
図５〜図７は、第１の実施の形態の半導体装置の製造プロセスを示す図である。
【００３４】
なお、図５〜図７は、図１の一点鎖線Ｘ−Ｘに対応する箇所における断面図をそれぞれ表している。
まず、絶縁板２１と、絶縁板２１のおもて面に形成された回路板２２と、絶縁板２１の裏面に形成された金属板２３とを有している積層基板２０を用意する。
【００３５】
図５に示されるように、このような積層基板２０の回路板２２に含まれる回路パターン２２ａの配置領域２２ａ１に導電性接合材１１ａを介して半導体素子１０ａを配置する。また、図５には図示していないものの、回路板２２に含まれる回路パターン２２ａの配置領域２２ａ２に導電性接合材１１ｂを介して半導体素子１０ｂを配置する。
【００３６】
次いで、図６に示されるように、リードフレーム５１，５２，５３ａ，５３ｂ，５４〜５６（図６では、リードフレーム５３ａ，５３ｂ，５６を表示）が一体成形されたケース４０を用意する。なお、ケース４０は、おもて面を下側に、裏面を上側にして用意する。
【００３７】
また、感温素子６０は、リードフレーム５３ａの裏面の先端部とリードフレーム５３ｂの裏面のリードフレーム５３ａの裏面の先端部と隣り合う端部に導電性接合材１２ａ，１２ｂを介して接合する。
【００３８】
そして、ケース４０の凸部４０ａの裏面側の側面と凸部４０ａの裏面側の側面に垂直な枠部４０ｃ（図６中上側）に沿って接着剤３０が塗布される。
次いで、ケース４０の凸部４０ａの裏面側の側面と凸部４０ａの裏面側の側面に垂直な枠部４０ｃ（図７中上側）に接着剤３０を介して積層基板２０が取り付けられる。この際、図７に示されるように、感温素子６０は、半導体素子１０ａの側部近傍に配置される。
【００３９】
そして、感温素子６０とリードフレーム５３ａ，５３ｂとを接合する導電性接合材１２ａ，１２ｂと、ケース４０と積層基板２０とを接合する接着剤３０とが固化する。
次いで、積層基板２０が取り付けられたケース４０において裏面を下側に、おもて面を上側にして、半導体素子１０ａ，１０ｂの主電極と、リードフレーム５１，５２，５４〜５６のおもて面と、回路板２２との間が適宜、ワイヤ７１〜７７で電気的に接続される。
【００４０】
ケース４０内の積層基板２０の回路板２２と、半導体素子１０ａ，１０ｂと、リードフレーム５１，５２，５３ａ，５３ｂ，５４〜５６と、感温素子６０とが封止樹脂８０で封止される。
【００４１】
以上により、図１〜図４に示される半導体装置１を構成することができる。
ここで、半導体装置１に対する参考例としての半導体装置について、図８を用いて説明する。
【００４２】
図８は、参考例の半導体装置の上面図である。
なお、図８において、半導体装置２は、半導体装置１と同様の構成には同様の符号を付している。
【００４３】
半導体装置２は、半導体装置１０ａ，１０ｂと、積層基板２０と、感温素子６０と、半導体素子１０ａ，１０ｂが配置された積層基板２０が接合され、リードフレーム５１，５２，５４〜５８が一体成形されたケース４０とを有している。さらに、半導体装置２は、ケース４０内のこれらの構成を封止する封止樹脂８０（図示を省略）を有している。
【００４４】
なお、半導体装置２では、積層基板２０の絶縁板２１上に形成された回路板２２は、回路パターン２２ａ〜２２ｃに加えて、回路パターン２２ｄ，２２ｅを有している。また、半導体装置２では、感温素子６０は、回路パターン２２ｄと回路パターン２２ｅの間（図８中の右端部）に配置されている。
【００４５】
ケース４０には、半導体装置１と同様に、リードフレーム５１，５２，５４〜５６が一体成形されていると共に、新たに、リードフレーム５７，５８が図８に示されるように一体成形されている。また、ケース４０は、上面視で、枠状を成している。
【００４６】
そして、ワイヤ７８は、リードフレーム５７と、積層基板２０の回路板２２を構成する回路パターン２２ｄとを電気的に接続している。ワイヤ７９は、リードフレーム５８と、積層基板２０の回路板２２を構成する回路パターン２２ｅとを電気的に接続している。
【００４７】
このような構成を有する半導体装置２において、半導体素子１０ａの温度を適切に検出するために、感温素子６０は、半導体素子１０ａに隣接するように回路パターン２２ｄ，２２ｅに配置することが望まれる。しかし、リードフレーム５７，５８と回路パターン２２ｄ，２２ｅとをワイヤ７８，７９により接続するためには、ケース４０の凸部４０ａの底部（ケース４０の開口の最も内側）と回路パターン２２ｅのワイヤボンディング位置との間と、回路パターン２２ｅのワイヤボンディング位置と回路パターン２２ｄのワイヤボンディング位置との間と、及び回路パターン２２ｄのワイヤボンディング位置と半導体素子１０ａの側部６３との間とにワイヤのボンディングツールが干渉しないように距離Ｌが必要となる。このため、感温素子６０は、半導体素子１０ａに隣接するように回路パターン２２ｄ，２２ｅに配置することができず、半導体素子１０ａと離れた位置の回路パターン２２ｄ，２２ｅ上（図８中の右端部）に配置する必要がある。したがって、半導体装置２では、感温素子６０により半導体素子１０ａの温度を適切に検出することができなくなる。
【００４８】
仮に、感温素子６０を、半導体素子１０ａに隣接するように回路パターン２２ｄ，２２ｅに配置する場合には、必然的に、ワイヤ７８，７９のループを高くしてワイヤボンディングしなくてはならなくなり、半導体装置２の厚さが増加してしまう。
【００４９】
また、半導体装置２は、ケース４０の凸部４０ａの底部（ケース４０の開口の最も内側）と回路パターン２２ｅのワイヤボンディング位置との間と、回路パターン２２ｅのワイヤボンディング位置と回路パターン２２ｄのワイヤボンディング位置との間と、回路パターン２２ｄのワイヤボンディング位置と半導体素子１０ａの側部６３との間とに距離Ｌを要し、小型化の妨げとなる。なお、距離Ｌは、既述のとおり３ｍｍ以上必要である。
【００５０】
一方、半導体装置１では、半導体素子１０ａと、絶縁板２１及び、絶縁板２１のおもて面に設けられ、半導体素子１０ａが配置される回路板２２を備える積層基板２０と、半導体素子１０ａが内側に配置されるように積層基板２０と接合されるケース４０と、を有している。半導体装置１は、一端部がケース４０の外側に配置され、他端部がケース４０の内側の絶縁板２１のおもて面の上方であって、半導体素子１０ａの近傍に配置されてケース４０に形成されるリードフレーム５３ａ，５３ｂを有している。さらに、半導体装置１は、リードフレーム５３ａ，５３ｂの他端部に配置され、半導体素子１０ａの側部６３近傍に配置される感温素子６０を有している。このため、前述のとおり、半導体装置１では、半導体素子１０ａの主電極のワイヤボンディング位置と半導体素子１０ａの側部６３に対向するリードフレーム５３ａの長手方向の端部６１、及びリードフレーム５３ｂの先端部６２との間のみに距離Ｌが必要となる。また、半導体素子１０ａの主電極のワイヤボンディング位置は、半導体素子１０ａの側部６３より半導体素子１０ａの内側にあり、半導体素子１０ａの側部６３と半導体素子１０ａの側部６３に対向する感温素子６０の側面の間をより近づけることが可能となる。
【００５１】
これにより、半導体装置１では、感温素子６０の半導体素子１０ａと対向する側面を半導体素子１０ａの側部６３近傍に配置することができるため、半導体素子１０ａの温度を適切に検出することができる。
【００５２】
半導体素子１０ａの側部６３から半導体素子１０ａの側部６３と対向する感温素子６０の側面までの間は、図１に示す半導体装置１で１．２５ｍｍ程度まで近づけることができる。このような場合において、周囲の温度が２５℃の下、半導体素子１０ａが発熱して５６．２℃となった際をシミュレーションした結果、感温素子６０の表面の温度は３０℃であった。一方、半導体装置２では、半導体素子１０ａの側部６３から半導体素子１０ａの側部６３と対向する感温素子６０の側面までの間は２．２５ｍｍ程度で、感温素子６０の表面の温度は２６．４℃であった。すなわち、半導体装置１の場合の方が、半導体装置２の場合と比較して、半導体素子１０ａの発熱を適切かつ迅速に検出することができる。
【００５３】
また、半導体装置１は、感温素子６０を、リードフレーム５３ａ，５３ｂの他端部に配置して、半導体素子１０ａの側部近傍に位置している。このため、半導体装置２の図８中の縦方向の長さが例えば５５ｍｍである場合、半導体装置１の図１中の縦方向の長さは、５２ｍｍと３ｍｍ程度短くすることができる。これにより、半導体装置１の厚さが増加することなく、５％程度半導体装置１を小型化できる。さらに、半導体装置１の小型化を図ることにより製造コストを低減化することができる。
【００５４】
［第２の実施の形態］
第２の実施の形態では、第１の実施の形態の半導体装置１よりもさらに小型化が図られた半導体装置について、図９及び図１０を用いて説明する。
【００５５】
図９は、第２の実施の形態の半導体装置の上面図であり、図１０は、第２の実施の形態の半導体装置の断面図である。
なお、図１０は、図９の一点鎖線Ｙ−Ｙにおける断面図を表している。
【００５６】
また、図９及び図１０では、半導体装置１と同様の構成には、同様の符号を付している。
半導体装置３は、半導体装置１０ａ，１０ｂと、積層基板２０と、感温素子６０と、半導体素子１０ａ，１０ｂが配置された積層基板２０が接合され、リードフレーム５１，５２，５３ａ，５３ｂ，５４〜５６が一体成形されたケース４１と、を有している。さらに、半導体装置３は、ケース４１内のこれらの構成を封止する封止樹脂８０を有している。
【００５７】
半導体装置３は、半導体装置１と同様の構成を成している。但し、リードフレーム５３ｂは、ケース４１の凸部４１ａのおもて側の側面側にリードフレーム５３ｂのおもて面がケース４１の凸部４１ａのおもて側の側面と同一平面になるように配置されている（図１０）。また、リードフレーム５３ａの長手方向に平行なリードフレーム５３ｂのケース４１側の端部は、ケース４１のケース凸部４１ａのおもて面側の側面に垂直な枠部４１ｂに近接して設けられている。これにより、半導体装置３では、ケース４１は、半導体装置１のケース４０に対して、図９中の縦方向の長さを短くすることができる。
【００５８】
これにより、半導体装置３は、半導体装置１よりも小型化を図ることができる。また、小型化を図ることにより製造コストを低減化することができる。
［第３の実施の形態］
第３の実施の形態では、第１の実施の形態の半導体装置１において、感温素子の位置を異ならせた半導体装置について、図１１及び図１２を用いて説明する。
【００５９】
図１１は、第３の実施の形態の半導体装置の上面図であり、図１２は、第３の実施の形態の半導体装置の断面図である。
なお、図１２は、図１１の一点鎖線Ｙ−Ｙにおける断面図を表している。
【００６０】
また、図１１及び図１２では、半導体装置１と同様の構成には、同様の符号を付している。
半導体装置４は、半導体装置１０ａ，１０ｂと、積層基板２０と、感温素子６０と、半導体素子１０ａ，１０ｂが配置された積層基板２０が接合され、リードフレーム５１，５２，１５３ａ，１５３ｂ，５４〜５６が一体成形されたケース４０と、を有している。さらに、半導体装置４は、ケース４０内のこれらの構成を封止する封止樹脂８０を有している。
【００６１】
積層基板２０は、絶縁板２１と、絶縁板２１のおもて面に設けられ、半導体素子１０ａ，１０ｂが配置領域１２２ａ１，１２２ａ２に配置される回路板１２２と、絶縁板２１の裏面に設けられた金属板２３とを有している。
【００６２】
回路板１２２は、導電性に優れた銅等の金属等により構成されており、複数の回路パターン１２２ａ，２２ｂ，２２ｃを有している。回路パターン１２２ａは、その形状が第１の実施の形態の回路パターン２２ａと異なっている。回路パターン１２２ａは、半導体素子１０ａ，１０ｂが配置される配置領域１２２ａ１，１２２ａ２の間が、半導体装置１の回路パターン２２ａの配置領域２２ａ１，２２ａ２の間よりも広がった形状を成している。半導体素子１０ａは、回路パターン１２２ａの配置領域１２２ａ１に導電性接合材１１ａを介して配置されている。半導体素子１０ｂは、回路パターン１２２ａの配置領域１２２ａ２に導電性接合材１１ｂを介して配置されている。導電性接合材１１ａ，１１ｂははんだとする。なお、導電性接合材１１ａ，１１ｂは銀ペースト等の導電性接着剤としてもよい。
【００６３】
ケース４０は、第１の実施の形態と同様に、上面視で、枠状を成し、図１１中の縦方向の長さは５５ｍｍ程度、図１１中の横方向の長さは３５ｍｍ程度である。このようなケース４０では、対向する一対の辺にリードフレーム５１，１５３ａ，１５３ｂ，５２と、リードフレーム５４，５５，５６とがそれぞれ一体成形されている。
【００６４】
なお、これらのリードフレーム５１，５２，１５３ａ，１５３ｂ，５４〜５６も、第１の実施の形態と同様に、導電性に優れた銅等の金属等により構成されており、それらの厚さは、０．３ｍｍ以上、０．８ｍｍ以下であって、例えば、０．５ｍｍ程度である。また、リードフレーム１５３ａ，１５３ｂの幅は、例えば、１ｍｍ程度である。
【００６５】
リードフレーム１５３ａ，１５３ｂは、それぞれ、一直線の板状を成している。また、ケース４０には図１１に示すおもて面（上面）から裏面に向かう深さ方向に開口が設けられ、開口の内側の中間部に凸部４０ａが形成されている。おもて面（上面）に平行な凸部４０ａの側面において、おもて面側の側面には、おもて面側の側面に垂直な枠部４０ｂを備える。また、裏面側の側面には、裏面側の側面に垂直な枠部４０ｃを備える。ケース４０は、凸部４０ａの裏面側の側面と裏面側の側面に垂直な枠部４０ｃとに接着剤３０により積層基板２０が接合されている。なお、この場合のリードフレーム１５３ａ，１５３ｂも、第１の実施の形態と同様に、リードフレーム１５３ａの長手方向の半導体素子１０ｂ側の端部とワイヤ７１のワイヤボンディング位置との間と、リードフレーム１５３ｂの長手方向の半導体素子１０ａ側の端部とワイヤ７２のワイヤボンディング位置との間の距離Ｌは、ワイヤのボンディングツールの干渉を防ぐため３ｍｍ以上は離しておく必要がある。
【００６６】
ケース４０に積層基板２０を取り付けると、リードフレーム１５３ａ，１５３ｂの（ケース４０内側の）先端部はケース４０内の積層基板２０の上方であって、上面視で半導体素子１０ｂ，１０ａの間にそれぞれ配置されている。
【００６７】
感温素子６０は、このようなリードフレーム１５３ａ，１５３ｂの先端部の積層基板２０の絶縁板２１のおもて面に対向する側に配置されて、半導体素子１０ａ，１０ｂの間に位置する（図１２）。
【００６８】
そして、ワイヤ７１〜７７が、半導体素子１０ａ，１０ｂと、リードフレーム５１，５２，５４〜５６と、回路板２２との間を適宜、電気的に接続する。
このような半導体装置４は、半導体装置１と同様に、半導体素子１０ａ，１０ｂと、絶縁板２１及び、絶縁板２１のおもて面に設けられ、半導体素子１０ａ、１０ｂが配置される回路板１２２を備える積層基板２０と、積層基板２０が接合されたケース４０と、を有している。半導体装置３は、一端部がケース４０の外側に配置され、他端部がケース４０の内側の積層基板２０の上方であって、半導体素子１０ａ，１０ｂの近傍に配置されてケース４０に形成されるリードフレーム１５３ａ，１５３ｂを有している。さらに、半導体装置３は、リードフレーム１５３ａ，１５３ｂの他端部の積層基板２０に対向する側に配置され、半導体素子１０ａ，１０ｂの間であって、側部近傍に配置される感温素子６０を有している。
【００６９】
これにより、半導体装置４でも、感温素子６０を半導体素子１０ａ，１０ｂの側部近傍に配置することができるため、半導体素子１０ａ，１０ｂの温度を適切に検出することができる。
【００７０】
また、半導体装置４は、半導体装置１と同様に、図１１中の縦方向の長さを、半導体装置２の図８中の縦方向の長さに対して、短くすることができ、小型化を図ることができる。これにより、製造コストを低減化することができる。
【符号の説明】
【００７１】
１  半導体装置
１０ａ，１０ｂ  半導体素子
１１ａ，１１ｂ，１２ａ，１２ｂ  導電性接合材
２０  積層基板
２１  絶縁板
２２  回路板
２２ａ，２２ｂ，２２ｃ  回路パターン
２２ａ１，２２ａ２  配置領域
２３  金属板
３０  接着剤
４０  ケース
４０ａ  凸部
４０ｂ，４０ｃ  枠部
４２  底部
５１，５２，５３ａ，５３ｂ，５４〜５６  リードフレーム
６０  感温素子
６１  端部
６２  先端部
６３  側部
７１〜７７  ワイヤ
７２ａ，７３ａ  ワイヤ接合部
８０  封止樹脂
【図１】
2018056437.tif 000003
【図２】
2018056437.tif 000004
【図３】
2018056437.tif 000005
【図４】
2018056437.tif 000006
【図５】
2018056437.tif 000007
【図６】
2018056437.tif 000008
【図７】
2018056437.tif 000009
【図８】
2018056437.tif 000010
【図９】
2018056437.tif 000011
【図１０】
2018056437.tif 000012
【図１１】
2018056437.tif 000013
【図１２】
2018056437.tif 000014